(57)【特許請求の範囲】
【請求項１】
被検眼を検査する眼科測定装置において、被検眼に固視させるための固視視標であって、年少者用の固視視標及び乱視眼でも固視が容易な固視視標を含む複数の固視視標と、複数の固視視標のなかから被検眼に呈示する固視視標を光路上に切換え配置する切換手段と、被検眼の視度に対応させて固視視標の光学位置を変える視度調節手段と、記憶装置に記憶されている被検眼に呈示すべき固視視標及び固視視標の光学位置の情報を入力された被検者のＩＤ番号に基づいて読み出して前記切換手段及び前記視度調節手段を駆動する制御手段と、を備えたことを特徴とする眼科測定装置。
【発明の詳細な説明】
【０００１】
【産業上の利用分野】
本発明は眼科測定装置に係り、さらに詳しく述べれば、被検眼の固視を固定するための固視系に関する。
【０００２】
【従来の技術】
水晶体を測定する眼科測定装置としては、例えば、水晶体に向けてレーザ光を収束させて照射し、水晶体内部の分子による散乱光を検出して白内障の発生を測定する装置が知られている。
この種の装置においては、観察光学系を介して被検眼を観察しながら所期する任意の測定部位にレーザ収束光をアライメントするが、このとき被検眼の固視を固定することが重要となる。このため装置には被検者の視線を誘導するための固視目標を設け、被検者にはこれを注視させて固視を固定している。
【０００３】
【発明が解決しようとする課題】
しかしながら、被検者や被検者の眼の状態によっては特定の形状の固視目標が見にくかったり、視度が合わず固視目標がはっきり見えないことがあり、固視を固定させることが困難な場合がある。被検眼の固視状態が悪いと正確な測定データが得られず、測定を繰り返して被検者に負担がかかるという問題がある。
【０００４】
本発明は、上記のような欠点に鑑み案出されたもので、被検者や被検者の眼の状態に応じ、被検眼が確実に固視目標に注視できる眼科測定装置を提供することを技術課題とする。
【０００５】
【課題を解決するための手段】
本発明は、上記課題を達成するために、以下のような構成を有することを特徴とする。
（１）  被検眼を検査する眼科測定装置において、被検眼に固視させるための固視視標であって、年少者用の固視視標及び乱視眼でも固視が容易な固視視標を含む複数の固視視標と、複数の固視視標のなかから被検眼に呈示する固視視標を光路上に切換え配置する切換手段と、被検眼の視度に対応させて固視視標の光学位置を変える視度調節手段と、記憶装置に記憶されている被検眼に呈示すべき固視視標及び固視視標の光学位置の情報を入力された被検者のＩＤ番号に基づいて読み出して前記切換手段及び前記視度調節手段を駆動する制御手段と、を備えたことを特徴とする。
【０００９】
【実施例】
以下、本発明の実施例を図面に基づいて説明する。図１は実施例である水晶体内部の蛋白質組成を測定する装置の概略を示す図である。
１はＨｅ−Ｎｅのレーザ光源、２はエキスパンダレンズ、３は集光レンズであり、１〜３は水晶体内部の蛋白質組成を測定するためのレーザ照射光学系を構成する。４は被検眼、５は水晶体である。
レーザ光源１より出力されたレーザ光は、エキスパンダレンズ２によりその光束を拡げられ、集光レンズ３により、収束光束として被検眼４の水晶体５に斜め方向から照射される。
【００１０】
７は固視用の視標板であり、視標板７の同一円周上には複数の種類の固視視標が配置されている。固視視標の種類としては、一般用の固視視標の外、スタ−バ−スト等乱視眼にも固視が容易な視標、子供用視標などがあり、被検者の年齢や屈折異常の種類に応じて視認しやすい視標が用意されている。８は視標板７を回転するモ−タであり、モ−タ８は固視用視標を切換え配置する。６は固視標を投影する照明光源である。照明光源６及び視標板７は投影光軸に沿って移動可能であり、その移動はモ−タ９によりなされる。１０は投影レンズ、１１はビームスプリッタである。本実施例では被検眼の視度調節のために照明光源６及び視標板７を移動させたが、投影レンズ１０を移動するようにしても良い。６〜１１は固視視標投影光学系を構成する。
【００１１】
１２は前眼部照明光源、１３は結像レンズ、１４は絞り、１５はＣＣＤカメラである。１２〜１５は前眼部を観察するための観察光学系を構成する。照明光源１２の点灯により照明された前眼部像は、結像レンズ１３及び絞り１４を介してＣＣＤカメラ１５の撮像面に結像し、その撮影像はテレビモニタに映し出される。
１６は結像レンズ、１７はアパーチャ、１８は光電変換素子であり、１６〜１８は散乱光検出光学系を構成する。レーザ照射光学系により水晶体５に照射されたレーザ光束は、水晶体５内の蛋白質粒子により散乱され散乱光となり、結像レンズ１６により集光し、測定領域を限定するアパーチャ１７を通過後、光電変換素子１８に入射する。
【００１２】
２０はモ−タ８を駆動する駆動回路、２１はモ−タ９を駆動する駆動回路である。２２は画像合成回路、２３は演算回路、２４は制御コンピュータ、２５はテレビモニタ、２６は記憶装置である。２７は入力装置であり、入力装置２７には固視視標を選択切換えする視標選択スイッチや、照明光源６及び視標板７を移動するための視度調節スイッチ、被検者のＩＤ番号を入力するスイッチなどの各種のスイッチが設けられている。
【００１３】
次に、上記装置の動作について説明する。
被検眼を所定の位置に位置させ、各光源を点灯する。照明光源６の点灯により視標板７の投影光軸上に位置する視標が被検眼に投影される。
測定に先立ち、検者は被験者が視認しやすい固視視標の種類の選択と視度調整を行う。入力装置２７の視標選択スイッチにより視標を選択すると、その選択信号は制御コンピュータ２４に入力され、制御コンピュータ２４は駆動回路２０を介してモ−タ８を駆動し選択された視標を光軸上に配置する。視度調節スイッチを操作すると、制御コンピュータ２４は駆動回路２１を介してモ−タ９を駆動し、スイッチにより指定された方向に照明光源６及び視標板７を移動する。検者はこれらのスイッチ操作により、固視視標の種類と視度調節位置を決定する。
【００１４】
被検者が固視視標をはっきり認識できることが確認できたら、測定部位のアライメントを行う。検者は、観察光学系を介してテレビモニタ２５に映し出される被検眼前眼部と水晶体５に照射されたレーザ光束を観察しながら、図示しないジョイスティック機構を操作して測定部位のアライメントを行う。このとき被検眼は固視標を確実に注視できるので視軸が安定し、検者はアライメントを容易に行うことができる。
【００１５】
アライメントが完了したら、入力装置２７の測定スイッチを押して測定を開始する。被検眼の水晶体５に照射されたレーザ光束は、水晶体５内の蛋白質粒子により散乱され散乱光となり、散乱光検出光学系の光電変換素子１８で検出される。光電変換素子１８では、入射した散乱光の強度に対応する電気信号が出力され、その信号は演算回路２３に入力される。演算回路２３は入力された信号に基づき、散乱光強度の時間的変動の相関関数を求め、この相関関数により制御コンピュータ２４は水晶体内部の蛋白質組成の測定結果を得る。この測定については、例えば、特表平６−５０５６５０号（発明の名称「白内障の発生を検出する方法及び装置」）に記載されるように、散乱光強度の時間的変動の相関関数は、
【数１】
0003630753.tif 000002
の式で表され、この式中のＩｆ（凝集していない粒子からの散乱光強度）とＩｓ（凝集している粒子からの散乱光強度）の割合（量）から水晶体内部の蛋白質組成が算出される。
【００１６】
得られた測定結果は画像合成回路２２を介してテレビモニタ２５に表示される。また測定結果は、被検者のＩＤ番号、選択した視標の種類及び視標の視度調節位置とともに記憶装置２６に記憶される。
再測定時には、入力装置２７により被検者のＩＤ番号を入力すると、制御コンピュータ２４は記憶手段２６に記憶されている視標の種類及び視標の視度調節位置の情報を呼び出し、モータ８、モータ９を駆動させて前回の固視標投影状態を自動的に再現する。
【００１７】
以上の実施例では、視標板を回転し視標を切換えているが、視標板は視標ごとに別個に挿脱するようにしても良いし、またビ−ムスプリッタを配置して複数の視標光路を設け、照明光源の点滅制御により視標を切換えるようにしても良い。
【００１８】
【発明の効果】
以上説明したように、本発明によれば、被検者や被検眼の屈折力状態に応じて固視標を視認しやすい視標にすることができるので、被検眼の固視状態を良くすることができる。
【図面の簡単な説明】
【図１】本実施例の装置の概略を示す構成図である。
【符号の説明】
１  レーザ光源
４  被検眼
５  水晶体
６  照明光源
７  視標板
８，９  モータ
１８  光電変換素子
２０，２１  駆動回路
２３  演算回路
２４  制御コンピュータ
２７  入力装置
【図１】
0003630753.tif 000003